(57)【要約】【課題】  従来、複数の区画を有する情報処理装置（コンピュータ装置）に対する大容量データの格納およびアクセスは十分なものとはいえなかった。【解決手段】  オペレーティングシステムおよびアプリケーションプログラムを格納する第１の記憶領域１１０、および、該第１の記憶領域とは異なる第２の記憶領域２１０を備える情報処理装置であって、前記第１の記憶領域に前記アプリケーションプログラムが利用する第１のフォルダＴＶを作成するフォルダ作成部と、前記情報処理装置の初期設定時に前記第１のフォルダに前記第２の記憶領域をマウントするマウント処理部と、を備えるように構成する。【選択図】      図２
2006079410.tif 000002
【特許請求の範囲】
【請求項１】
オペレーティングシステムおよびアプリケーションプログラムを格納する第１の記憶領域、および、該第１の記憶領域とは異なる第２の記憶領域を備える情報処理装置であって、
前記第１の記憶領域に前記アプリケーションプログラムが利用する第１のフォルダを作成するフォルダ作成部と、
前記情報処理装置の初期設定時に前記第１のフォルダに前記第２の記憶領域をマウントするマウント処理部と、を備えることを特徴とする情報処理装置。
【請求項２】
請求項１に記載の情報処理装置において、
前記第１のフォルダにマウントされた前記第２の記憶領域には、複数のアプリケーションプログラムにより処理されるデータが格納されることを特徴とする情報処理装置。
【請求項３】
請求項１に記載の情報処理装置において、
前記第１の記憶領域は第１のハードディスクドライブに設けられ、且つ、前記第２の記憶領域は第２のハードディスクドライブに設けられることを特徴とする情報処理装置。
【請求項４】
請求項１に記載の情報処理装置において、さらに、
前記情報処理装置に映像処理装置が接続されていることを確認する映像処理装置確認部を備え、該映像処理装置確認部が、前記情報処理装置に前記映像処理装置が接続されていることを確認した後、前記フォルダ作成部によるフォルダの作成および前記マウント処理部によるマウント処理を行うことを特徴とする情報処理装置。
【請求項５】
情報処理装置の第１の記憶領域にアプリケーションプログラムが利用する第１のフォルダを作成するフォルダ作成ステップと、
前記情報処理装置の初期設定時に前記第１のフォルダに該情報処理装置の第２の記憶領域をマウントするマウント処理ステップと、を備えることを特徴とする情報処理装置の初期設定方法。
【請求項６】
請求項５に記載の情報処理装置の初期設定方法において、
前記第１のフォルダにマウントされた前記第２の記憶領域には、複数のアプリケーションプログラムにより処理されるデータが格納されることを特徴とする情報処理装置の初期設定方法。
【請求項７】
請求項５に記載の情報処理装置の初期設定方法において、
前記第１の記憶領域は第１のハードディスクドライブに設けられ、且つ、前記第２の記憶領域は第２のハードディスクドライブに設けられることを特徴とする情報処理装置の初期設定方法。
【請求項８】
請求項５に記載の情報処理装置の初期設定方法において、さらに、
前記情報処理装置に映像処理装置が接続されていることを確認する映像処理装置確認ステップを備え、該映像処理装置確認ステップにおいて、前記情報処理装置に前記映像処理装置が接続されていることを確認した後、前記フォルダ作成ステップによるフォルダの作成および前記マウント処理ステップによるマウント処理を行うことを特徴とする情報処理装置の初期設定方法。
【請求項９】
コンピュータに、
情報処理装置の第１の記憶領域にアプリケーションプログラムが利用するフォルダを作成するフォルダ作成手順と、
前記情報処理装置の初期設定時に前記フォルダに前記情報処理装置の第２の記憶領域をマウントするマウント処理手順と、を実行させるためのプログラムを記録したコンピュータが読み取り可能な記録媒体。
【請求項１０】
コンピュータに、
情報処理装置の第１の記憶領域にアプリケーションプログラムが利用するフォルダを作成するフォルダ作成手順と、
前記情報処理装置の初期設定時に前記フォルダに前記情報処理装置の第２の記憶領域をマウントするマウント処理手順と、を実行させるためのプログラム。
【発明の詳細な説明】
【技術分野】
【０００１】
本発明は、情報処理装置、情報処理装置の初期設定方法、プログラムを記録したコンピュータが読み取り可能な記録媒体およびプログラムに関し、特に、大容量のデータを扱うプログラムがプレインストールされた情報処理装置、情報処理装置の初期設定方法（オペレーティングシステムの初期設定方法）、プログラム（オペレーティングシステムの初期設定プログラム）を記録したコンピュータが読み取り可能な記録媒体およびプログラム（オペレーティングシステムの初期設定プログラム）に関する。
【背景技術】
【０００２】
従来、例えば、パーソナルユースのデスクトップ型およびノート型の情報処理装置においては、一般的に、所定のオペレーティングシステム（ＯＳ）および様々なアプリケーションプログラム（プログラム）が予めインストール（プレインストール）された状態でユーザに届くようになっている。
【０００３】
近年、このようなプレインストールされるプログラムとして、例えば、インターネットを介して画像や音楽をダウンロードし、その画像や音楽データをハードディスクドライブに保存したり、或いは、テレビ放送をＭＰＥＧ２等に圧縮変換してハードディスクドライブに録画するといった大容量のデータを扱うプログラムも増えてきている。
【０００４】
さらに、例えば、ハードディスクドライブに保存されたテレビ放送の録画データ（ＴＶデータ）を再生したり、編集したり、或いは、ＤＶＤ等の光ディスクに書き込んだりといった共通の大容量データ（ＴＶデータ）を複数の異なるプログラム（再生プログラム、編集プログラムおよび書き込みプログラム）が使用することもある。
【０００５】
図１は従来の情報処理装置におけるハードディスクドライブの区画構成の例を概念的に示す図であり、図１（ａ）は１つのハードディスクドライブにおける区画構成の一例を示し、図１（ｂ）および図１（ｃ）は２つのハードディスクドライブにおける区画構成の例を示している。
【０００６】
図１（ａ）に示されるように、従来、一般的なパーソナルユースのデスクトップ型およびノート型の情報処理装置（コンピュータ装置）は、１つのハードディスクドライブ１００を備え、その１つのハードディスクドライブ１００を、例えば、２つの区画（パーティション：記憶領域）１０１（Ｃドライブ）および１０２（Ｄドライブ）に分割するようになっている。そして、Ｃドライブ１０１には、例えば、オペレーティングシステム（ＯＳ）を格納するＯＳ領域１１１、様々なアプリケーションプログラムを格納するプログラム領域１１２、および、例えば、前述したテレビ放送の録画プログラムにより録画された大容量のデータ（ＴＶデータ）が格納されるデータ領域１１３がそれぞれ割り当てられ、また、Ｄドライブ１０２は、例えば、ユーザのバックアップ領域として使用するようになっている。
【０００７】
Ｃドライブ１０１のプログラム領域１１２には、例えば、予めテレビ放送をＭＰＥＧ２等に圧縮変換してハードディスクドライブに録画するテレビ放送の録画プログラム等がプレインストールされていて、このテレビ放送の録画プログラムによるデータ（テレビ放送の録画データ：ＴＶデータ）がＣドライブ１０１のデータ領域１１３に格納されるようになっている。ここで、Ｃドライブ１０１のプログラム領域１１２には、データ領域１１３に格納されたテレビ放送の録画データを使用して、その録画データを再生するプログラム（再生プログラム）、編集するプログラム（編集プログラム）、および、ＤＶＤに書き込むプログラム（書き込みプログラム）等もプレインストールされている。
【０００８】
図１（ｂ）および図１（ｃ）は、情報処理装置のハードディスクドライブを２つのハードディスクドライブ１００および２００で構成した場合の区画構成の例を示すものである。ところで、例えば、情報処理装置のハードディスクドライブを２つの２００ＧＢのハードディスクドライブで構成する場合は、一般的に、１つの４００ＧＢのハードディスクドライブで構成する場合よりも低価格にすることができる。
【０００９】
図１（ｂ）に示されるように、従来、２つのハードディスクドライブ１００，２００を備えた情報処理装置として、第１のハードディスクドライブ１００を第１の区画（Ｃドライブ）１１０とすると共に、第２のハードディスクドライブ２００を第２の区画（Ｄドライブ）２１０とし、Ｃドライブ１１０にＯＳ領域１１１およびプログラム領域１１２を割り当て、且つ、Ｄドライブ２１０にデータ領域１１３を割り当てるものが知られている。なお、ユーザのバックアップ領域は、Ｄドライブ２１０に割り当てられる。
【００１０】
さらに、図１（ｃ）に示されるように、従来、２つのハードディスクドライブ１００，２００を備えた情報処理装置として、第１のハードディスクドライブ１００を第１の区画（Ｃドライブ：第１の記憶領域）１２０および第２の区画（Ｄドライブ）１３０に分割すると共に、第２のハードディスクドライブ２００を第２の区画（Ｄドライブ）２１０とし、第１のハードディスクドライブ１００のＤドライブ１３０および第２のハードディスクドライブ２００のＤドライブ２１０を１つの区画（第２の記憶領域）として制御するものも知られている。
【００１１】
なお、従来、リカバリ処理を行ってもデータをそのまま保持するシステムは様々なものがしられているが、例えば、アプリケーションタスクに依存せずにクライアントの送受信データをアプリケーションプログラムのローカル領域とは別のファイルに格納することにより、障害が発生した場合でも、電文の内容を失うことなく自動で復旧する機能を有するオンライントランザクションプロセッシングシステムが提案されている（例えば、特許文献１）。
【００１２】
【特許文献１】特開２００１−１８４３０９号公報
【発明の開示】
【発明が解決しようとする課題】
【００１３】
上述した図１（ａ）に示す情報処理装置は、例えば、半分の容量のハードディスクドライブを２つ使用して構成したものに比較して高価格になるという課題がある。また、例えば、プレインストールされているプログラム（アプリケーションプログラム）のデータは、プログラムのインストール時に予め設定されているＣドライブ１０１（オペレーティングシステムが格納されているシステム区画）と同じ区画に格納されるため、大容量のデータを格納し続けるとシステム区画を圧迫することにもなる。さらに、例えば、システムの動作が不安定になったためにユーザが購入時の状態に戻すリカバリ処理を行う場合、大容量のデータはシステム区画に保存されているため、予め別の区画やメディアにバックアップしておく必要がある。しかしながら、例えば、バックアップするデータがテレビ放送の録画データのように非常に大きな容量のデータの場合には、バックアップに要する時間が莫大なものとなり、また、格納できるメディアの容量も意識しなくてはならない。
【００１４】
図１（ｂ）および図１（ｃ）に示す情報処理装置は、半分の容量のハードディスクドライブを２つ使用して１つのハードディスクドライブを構成することにより価格を低廉化することが可能であり、また、図１（ｂ）に示す情報処理装置は、例えば、リカバリ処理をＣドライブ１１０に行った場合でも、Ｄドライブ２１０に格納されたテレビ放送の録画データ（ＴＶデータ）はそのまま保存される。
【００１５】
しかしながら、図１（ｂ）に示す情報処理装置において、例えば、再生プログラム、編集プログラムおよび書き込みプログラムといった異なる複数のプログラムは、録画プログラムと製造元が異なっていたり、或いは、プログラムのインストール時に特別な操作（例えば、データの格納或いは参照先を指定する操作）をしないと、録画プログラムによりＤドライブ２１０に格納された録画データを参照することができないことがあった。また、録画可能なデータ量としては、第１のハードディスクドライブ１００（Ｃドライブ１１０）の容量に余裕があっても、第２のハードディスクドライブ２００（Ｄドライブ２１０）が録画データで一杯になると、それ以上録画することができないことにもなっていた。
【００１６】
さらに、図１（ｃ）に示す情報処理装置は、第１のハードディスクドライブ１００（Ｄドライブ１３０）および第２のハードディスクドライブ２００（Ｄドライブ２１０）を十分に使用して録画を行うことが可能であるが、例えば、Ｃドライブ１２０のリカバリ処理を行った場合、さらに特別な処理を行わないと第１のハードディスクドライブ１００のＤドライブ１３０および第２のハードディスクドライブ２００のＤドライブ２１０を１つの区画として制御することはできなかった。
【００１７】
なお、図１（ｂ）に示す情報処理装置において、例えば、工場出荷前に、異なる複数のプログラム（アプリケーションプログラム）で異なるハードディスクドライブの区画（例えば、第２のハードディスクドライブ２００のＤドライブ２１０）に設けた共通フォルダに大容量データを格納するように設定すると共に、この大容量データを参照する全てのプログラムの参照先を上記共通フォルダに設定することは可能である。しかしながら、例えば、第１および第２の２つのハードディスクドライブに対して上記の設定を行うのは手間が掛かることになり、さらに、例えば、リカバリ処理を行った後は、特別の操作を行わないと最初の使用状態に復元しないことにもなっていた。
【００１８】
本発明は、上述した課題に鑑み、ユーザは特別な操作を行うことなく、また、データの格納場所を意識せずに様々なプログラムを使用することのできる情報処理装置の提供を目的とする。さらに、本発明は、リカバリ処理をデータのバックアップを意識せずに行うことのできる情報処理装置の提供も目的とする。
【課題を解決するための手段】
【００１９】
本発明の第１の形態によれば、オペレーティングシステムおよびアプリケーションプログラムを格納する第１の記憶領域、および、該第１の記憶領域とは異なる第２の記憶領域を備える情報処理装置であって、前記第１の記憶領域に前記アプリケーションプログラムが利用する第１のフォルダを作成するフォルダ作成部と、前記情報処理装置の初期設定時に前記第１のフォルダに前記第２の記憶領域をマウントするマウント処理部と、を備えることを特徴とする情報処理装置が提供される。
【００２０】
本発明の第２の形態によれば、情報処理装置の第１の記憶領域にアプリケーションプログラムが利用する第１のフォルダを作成するフォルダ作成ステップと、前記情報処理装置の初期設定時に前記第１のフォルダに該情報処理装置の第２の記憶領域をマウントするマウント処理ステップと、を備えることを特徴とする情報処理装置の初期設定方法が提供される。
【００２１】
本発明の第３の形態によれば、コンピュータに、情報処理装置の第１の記憶領域にアプリケーションプログラムが利用するフォルダを作成するフォルダ作成手順と、前記情報処理装置の初期設定時に前記フォルダに前記情報処理装置の第２の記憶領域をマウントするマウント処理手順と、を実行させるためのプログラムを記録したコンピュータが読み取り可能な記録媒体が提供される。
【００２２】
本発明の第４の形態によれば、コンピュータに、情報処理装置の第１の記憶領域にアプリケーションプログラムが利用するフォルダを作成するフォルダ作成手順と、前記情報処理装置の初期設定時に前記フォルダに前記情報処理装置の第２の記憶領域をマウントするマウント処理手順と、を実行させるためのプログラムが提供される。
【発明の効果】
【００２３】
本発明によれば、ユーザは特別な操作を行うことなく、また、データの格納場所を意識せずに様々なプログラムを使用することのできる情報処理装置を提供することができる。さらに、本発明によれば、リカバリ処理をデータのバックアップを意識せずに行うことのできる情報処理装置を提供することもできる。
【発明を実施するための最良の形態】
【００２４】
以下、本発明に係る情報処理装置、情報処理装置の初期設定方法、プログラムを記録したコンピュータが読み取り可能な記録媒体およびプログラムの実施例を、添付図面を参照して詳述する。
【実施例１】
【００２５】
図２は本発明に係る情報処理装置の第１実施例におけるハードディスクドライブの区画構成を説明するための図であり、図２（ａ）は２つのハードディスクドライブを概念的に示すものであり、また、図２（ｂ）はオペレーティングシステムのファイル管理ソフトにおける表示画像の一例を示すものである。
【００２６】
図２に示されるように、本第１実施例の情報処理装置（コンピュータ装置）は、２つのハードディスクドライブ１００および２００を備え、半分の容量（例えば、２００ＧＢ）のハードディスクドライブを２つ使用して１つのハードディスクドライブ（例えば、４００ＧＢ）を構成することにより価格を低廉化するようになっている。なお、本発明に係る情報処理装置は、ハードディスクドライブ以外にもＭＰＵ，メモリ，Ｉ／Ｏ等を備え、さらに、ディスプレイ，キーボード，ポインティングデバイス、並びに、様々な周辺機器を備えて構成されるのはいうまでもない。
【００２７】
第１のハードディスクドライブ１００は、１つの区画（Ｃドライブ：第１の記憶領域）１１０で構成され、このＣドライブ１１０には、例えば、オペレーティングシステム（ＯＳ）を格納するＯＳ領域および様々なアプリケーションプログラムを格納するプログラム領域が設けられている。また、第２のハードディスクドライブ２００も、１つの区画（Ｄドライブ：第２の記憶領域）２１０で構成されている。
【００２８】
そして、図２（ｂ）に示されるように、Ｃドライブ１１０における共有のフォルダ（共有フォルダ）には、例えば、テレビ放送の録画プログラムによるフォルダ（ＴＶフォルダ）が形成され、このＴＶフォルダに対してＤドライブ２１０がマウントされるようになっている。なお、Ｄドライブ２１０は、例えば、ユーザのバックアップ領域としても使用されるようになっている。
【００２９】
このように、本第１実施例の情報処理装置によれば、例えば、テレビ放送をＭＰＥＧ２に圧縮変換して録画するテレビ放送録画プログラムは、その録画データ（ＴＶデータ）をＣドライブ１１０のＴＶフォルダに格納しようとするとき、Ｃドライブ１１０の共有フォルダにおけるＴＶフォルダに対してＤドライブ２１０がマウントされているため、ＴＶデータはＤドライブ２１０（すなわち、第２のハードディスクドライブ１００）に格納されることになる。さらに、例えば、録画データの再生プログラム、編集プログラム、或いは、書き込みプログラム等がＴＶデータを処理（再生、編集、書き込み等）する場合も、Ｄドライブ２１０はＣドライブ１１０の共有フォルダにおけるＴＶフォルダにマウントされているため、各再生プログラム、編集プログラム、或いは、書き込みプログラム等は、ＴＶフォルダを参照することによりＤドライブ２１０に格納されているＴＶデータをアクセスして所定の処理を行うことができる。
【００３０】
このように、本発明に係る情報処理装置の第１実施例によれば、例えば、ＴＶデータといった大容量データの実際の格納先を、システム区画（Ｃドライブ１１０）と別の場所（Ｄドライブ２１０）にマウントすることにより、各プログラム（アプリケーションプログラム）の保存データ増加によるシステム区画の圧迫を意識せずに回避することができる。また、各プログラムはデータ格納場所を意識することなく通常通り参照および保存等の処理を行うことができる。さらに、例えば、システムの動作が不安定になったためにユーザが購入時の状態に戻すリカバリ処理を行う場合、例えば、ＴＶデータは、実際にはシステム区画（Ｃドライブ１１０）とは異なる区画（Ｄドライブ２１０）に格納されているため、バックアップの必要がない。
【００３１】
図３は図２に示す情報処理装置におけるオペレーティングシステムの初期設定方法（セットアップ方法）の一例を説明するためのフローチャートである。
【００３２】
図３において、まず、情報処理装置の電源が初めてオンされると、ステップＳＴ１１において、ユーザセットアップを行う。このユーザセットアップとしては、情報処理装置が最初に起動された日時が登録されたり、情報処理装置に名前を付けたり、或いは、ユーザ登録を行ったりといった必須または任意の様々な処理が含まれる。さらに、ステップＳＴ１２に進んで、その情報処理装置はＴＶモデル（テレビチューナを搭載してテレビ放送を受信する機能を有しているモデル）か否かを判別する。ここで、ステップＳＴ１２におけるＴＶモデルか否かの判別は、拡張スロット（例えば、ＰＣＩバス）にテレビチューナカードが装着されているかどうかにより行う。
【００３３】
ステップＳＴ１２において、情報処理装置がＴＶモデルであると判別されると、ステップＳＴ１３に進んで２つ目のハードディスクドライブ（ＨＤＤ）２００が存在するか否かを判別する。ここで、１つ目のハードディスクドライブ１００は、本来的に存在しているのはいうまでもない。
【００３４】
ステップＳＴ１３において、２つ目のハードディスクドライブ２００が存在すると判別されると、ステップＳＴ１４に進んで、２つ目のハードディスクドライブ２００の区画（Ｄドライブ２１０）を"C:\Documents and Settings\All Users\Documents\My Pictures\TV"フォルダ（図２におけるＴＶフォルダに対応）にマウントし、さらに、ステップＳＴ１５に進んでオペレーティングシステム（ＯＳ）を再起動して処理を終了する。ここで、"C:\Documents and Settings\All Users\Documents\My Pictures\TV"フォルダに対するＤドライブ２１０のマウントは、例えば、Windows XP（登録商標）および Windows 2000（登録商標）における「ディスクの管理」およびコマンドライン（DISKPART）を使用して行うことができる。
【００３５】
なお、ステップＳＴ１２で情報処理装置がＴＶモデルではないと判別されるか、或いは、ステップＳＴ１３で２つ目のハードディスクドライブ２００が存在しないと判別されると、そのままステップＳＴ１５に進んでオペレーティングシステムを再起動して処理を終了する。
【００３６】
以上において、"C:\Documents and Settings\All Users\Documents\My Pictures\TV"フォルダは、テレビ放送の録画プログラムをインストール（プリインストール）することにより、Ｃドライブ１１０の共有フォルダに作成される。また、上述したオペレーティングシステムの初期設定方法は、オペレーティングシステムの初期設定プログラムとして情報処理装置のハードディスクドライブ等に予め記録させておくことができる。
【００３７】
さらに、前述したように、例えば、テレビ放送の録画プログラムによる録画データは、Ｃドライブ１１０のＴＶフォルダに格納しようとするとき、Ｄドライブ２１０に格納され、さらに、録画データの再生プログラム，編集プログラム或いは書き込みプログラム等がＴＶデータを処理する場合も、Ｃドライブ１１０のＴＶフォルダを参照することによりＤドライブ２１０に格納されているＴＶデータをアクセスして所定の処理を行うことができる。
【００３８】
このように、本第１実施例の情報処理装置におけるオペレーティングシステムの初期設定方法は、オペレーティングシステムの初期設定時に、Ｃドライブ１１０における"C:\Documents and Settings\All Users\Documents\My Pictures\TV"フォルダに対してＤドライブ２１０をマウントするようになっており、例えば、工場において、このような処理を情報処理装置毎に個別に行う必要がない。これは、以下に図５および図７を参照して説明する第２実施例および第３実施例の情報処理装置におけるオペレーティングシステムの初期設定方法でも同様である。
【実施例２】
【００３９】
図４は本発明に係る情報処理装置の第２実施例におけるハードディスクドライブの区画構成を説明するための図であり、図４（ａ）は２つのハードディスクドライブを概念的に示すものであり、また、図４（ｂ）はファイル管理ソフトの表示画像の一例を示すものである。
【００４０】
図４と前述した図２との比較から明らかなように、本第２実施例の情報処理装置は、第１のハードディスクドライブ１００（Ｃドライブ１１０）の共有フォルダに、ＴＶフォルダ（第１のフォルダ）だけでなくＴＶ２フォルダ（第２のフォルダ）を設け、この第２のフォルダにもＴＶデータ（ＴＶデータ２）を格納するようになっている。
【００４１】
これにより、前述した第１実施例の情報処理装置と比較して、Ｃドライブ１１０においても実際にＴＶデータを格納することで、より長時間の録画を行うことが可能になる。ここで、第２のフォルダに格納されるＴＶデータ２は、例えば、第１のフォルダ（Ｄドライブ２１０の容量に相当）にＴＶデータを格納しようとしたとき、Ｄドライブ２１０の空き容量が不足した場合等においても、ＴＶデータをＣドライブ１１０（第２のフォルダ）に格納するためのものであり、この第１のフォルダから第２のフォルダへの変更は、例えば、ユーザ自身で設定を変更することにより行う。
【００４２】
図５は図４に示す情報処理装置におけるオペレーティングシステムの初期設定方法の一例を説明するためのフローチャートである。
【００４３】
図５において、まず、情報処理装置の電源が初めてオンされると、ステップＳＴ２１において、ユーザセットアップを行い、さらに、ステップＳＴ２２に進んで、その情報処理装置はＴＶモデルか否かを判別する。テレビチューナカードの確認方法は、デバイスチェックツールを用いてＴＶチューナカードが持っているデバイスＩＤが存在するか確認する。デバイスＩＤとは全てのデバイスが持っているＩＤであり、このＩＤによりオペレーティングシステムのハードウェア自動認識機能を実現している。一般的に、”ＶＥＮ”＋”ベンダーＩＤ”＋”ＤＥＶ”＋”デバイスＩＤ”＋”ファームなどの情報”という形で割り振られている。以下の表１は、具体的な例を示すものである。
【００４４】
【表１】
2006079410.tif 000003
【００４５】
ステップＳＴ２２において、情報処理装置がＴＶモデルであると判別されると、ステップＳＴ２３に進んで、２つ目のハードディスクドライブ２００が存在するか否かを判別する。ステップＳＴ２３において、２つ目のハードディスクドライブ２００が存在すると判別されると、ステップＳＴ２４に進んで、１つ目のハードディスクドライブ１００（Ｃドライブ１１０）の共通フォルダに"C:\Documents and Settings\All Users\Documents\My Pictures\TV2"フォルダ（図４におけるＴＶ２フォルダ（第２のフォルダ）に対応）を作成する。
【００４６】
さらに、ステップＳＴ２５に進んで、２つ目のハードディスクドライブ２００の区画（Ｄドライブ２１０）を"C:\Documents and Settings\All Users\Documents\My Pictures\TV"フォルダにマウントし、さらに、ステップＳＴ２６に進んでオペレーティングシステムを再起動して処理を終了する。
【００４７】
なお、ステップＳＴ２２において、情報処理装置がＴＶモデルではないと判別されるか、或いは、ステップＳＴ２３で２つ目のハードディスクドライブ２００が存在しないと判別されると、そのままステップＳＴ２６に進んでオペレーティングシステムを再起動して処理を終了する。
【実施例３】
【００４８】
図６は本発明に係る情報処理装置の第３実施例におけるハードディスクドライブの区画構成を説明するための図であり、図６（ａ）は２つのハードディスクドライブを概念的に示すものであり、また、図６（ｂ）はファイル管理プログラムの表示画像の一例を示すものである。
【００４９】
図６と前述した図４との比較から明らかなように、本第３実施例の情報処理装置は、第１のハードディスクドライブ１００を２つの区画（Ｃドライブ１４０およびＥドライブ１５０）に分割し、Ｃドライブ１４０（第１の記憶領域）における共有フォルダに、ＴＶフォルダ（第１のフォルダ）およびＴＶ２フォルダ（第２のフォルダ）を設け、Ｄドライブ２１０（第２の記憶領域）を第１のフォルダにマウントすると共に、Ｅドライブ１５０（第３の記憶領域）を第２のフォルダにマウントするようになっている。
【００５０】
これにより、前述した第２実施例の情報処理装置と同様に、例えば、第１のフォルダ（Ｄドライブ２１０の容量に相当）にＴＶデータを格納しようとしたとき、Ｄドライブ２１０の空き容量が不足した場合等においても、ＴＶデータを第２のフォルダにマウントされたＥドライブ１５０に格納することができ、より長時間の録画を行うことが可能になる。
【００５１】
図７は図６に示す情報処理装置におけるオペレーティングシステムの初期設定方法の一例を説明するためのフローチャートである。
【００５２】
図７において、まず、情報処理装置の電源が初めてオンされると、ステップＳＴ３１において、ユーザセットアップを行い、さらに、ステップＳＴ３２に進んで、その情報処理装置はＴＶモデルか否かを判別する。
【００５３】
ステップＳＴ３２において、情報処理装置がＴＶモデルであると判別されると、ステップＳＴ３３に進んで、１つ目のハードディスクドライブ１００の１つ目の区画（Ｃドライブ１１０）の共通フォルダに"C:\Documents and Settings\All Users\Documents\My Pictures\TV2"フォルダ（図６におけるＴＶ２フォルダ（第２のフォルダ）に対応）を作成する。さらに、ステップＳＴ３４に進んで、２つ目のハードディスクドライブ２００が存在するか否かを判別する。
【００５４】
ステップＳＴ３４において、２つ目のハードディスクドライブ２００が存在すると判別されると、ステップＳＴ３５に進んで、２つ目のハードディスクドライブ２００の区画（Ｄドライブ２１０）を"C:\Documents and Settings\All Users\Documents\My Pictures\TV"フォルダにマウントし、さらに、ステップＳＴ３７に進んでオペレーティングシステムを再起動して処理を終了する。
【００５５】
また、ステップＳＴ３４において、２つ目のハードディスクドライブ２００が存在しないと判別されると、ステップＳＴ３６に進んで、１つ目のハードディスクドライブ１００の２つ目の区画（Ｅドライブ１５０）を"C:\Documents and Settings\All Users\Documents\My Pictures\TV2"フォルダ（第２のフォルダ）にマウントし、さらに、ステップＳＴ３７に進んでオペレーティングシステムを再起動して処理を終了する。
【００５６】
なお、ステップＳＴ３２において、情報処理装置がＴＶモデルではないと判別されると、そのままステップＳＴ３７に進んでオペレーティングシステムを再起動して処理を終了する。
【００５７】
以上、詳述したように、本発明に係る情報処理装置の各実施例によれば、大容量データの実際の格納先を、システム区画に設けたフォルダにマウント処理したシステム区画以外の区画に格納するため、各アプリケーションプログラム上でのデータ参照および保存等は、ユーザが特別な処理をすることなくシステム区画以外の区画に行うことが可能となり、さらに、リカバリ時においては、データ（大容量データ）のバックアップ処理を必要としない。さらに、本発明に係る情報処理装置の各実施例におけるオペレーティングシステムの初期設定方法によれば、オペレーティングシステムの初期設定時に、システム区画以外の区画をシステム区画に設けたフォルダにマウント処理するようになっているため、例えば、このようなマウント処理を、工場において情報処理装置毎に個別に行う必要がない。
【００５８】
図８は本発明に係るオペレーティングシステムの初期設定プログラムを記録した媒体の例を説明するための図である。図８において、参照符号３１０は処理装置、３２０はプログラム（データ）提供者、そして、３３０は可搬型記憶媒体を示している。
【００５９】
上述した本発明に係る情報処理装置におけるオペレーティングシステムの初期設定方法は、例えば、図８に示すような処理装置３１０に対するプログラム（データ）として与えられ、処理装置３１０により実行される。処理装置３１０は、プロセッサを含む演算処理装置本体３１１、および、演算処理装置本体３１１に対してプログラム（データ）を与えたり或いは処理された結果を格納する処理装置側メモリ（例えば、ＲＡＭ（Random Access Memory）やハードディスクドライブ）３１２等を備える。処理装置３１０に提供されたプログラム（データ）は、ローディングされて処理装置３１０のメインメモリ上で実行される。
【００６０】
プログラム（データ）提供者３２０は、プログラム（データ）を格納する手段（回線先メモリ：例えば、ＤＡＳＤ（Direct Access Storage Device））３２１を有し、例えば、インターネット等の回線を介してプログラム（データ）を処理装置３１０に提供したり、或いは、ハードシスク，ＣＤ−ＲＯＭ，光ディスクまたはフロッピィディスク等の可搬型記憶媒体３３０を介して処理装置３１０に提供する。本発明に係るオペレーティングシステムの初期設定プログラムを記録した媒体は、上記の処理装置側メモリ３１２、回線先メモリ３２１、および、可搬型記憶媒体３３０等の様々なものを含むのはいうまでもない。さらに、本発明に係る情報処理装置が処理装置３１０に相当する場合には、上述のオペレーティングシステムの初期設定プログラムを記録した媒体としては、工場においてプレインストールされたオペレーティングシステムや各種アプリケーションプログラムと共に記録されるハードディスクドライブ３１２のこともある。
【００６１】
以上の説明において、大容量データは、テレビ放送の録画データに限定されるものではなく、例えば、インターネットを介してダウンロードされる画像や音楽データを始めとして様々なデータであってもよく、それに応じてアプリケーションプログラムも様々なものが対象となる。また、ハードディスクドライブの数も２つに限定されるものではなく、１つのハードディスクドライブに複数の区画が設けられていたり、或いは、３つ以上のハードディスクドライブに対しても本発明を適用することができるのはいうまでもない。
【００６２】
（付記１）
オペレーティングシステムおよびアプリケーションプログラムを格納する第１の記憶領域、および、該第１の記憶領域とは異なる第２の記憶領域を備える情報処理装置であって、
前記第１の記憶領域に前記アプリケーションプログラムが利用する第１のフォルダを作成するフォルダ作成部と、
前記情報処理装置の初期設定時に前記第１のフォルダに前記第２の記憶領域をマウントするマウント処理部と、を備えることを特徴とする情報処理装置。
【００６３】
（付記２）
付記１に記載の情報処理装置において、
前記第１のフォルダにマウントされた前記第２の記憶領域には、複数のアプリケーションプログラムにより処理されるデータが格納されることを特徴とする情報処理装置。
【００６４】
（付記３）
付記１に記載の情報処理装置において、
前記第１の記憶領域は第１のハードディスクドライブに設けられ、且つ、前記第２の記憶領域は第２のハードディスクドライブに設けられることを特徴とする情報処理装置。
【００６５】
（付記４）
付記３に記載の情報処理装置において、さらに、
前記フォルダ作成部は、前記第１の記憶領域に第２のフォルダを作成し、前記第１のフォルダにマウントされた前記第２の記憶領域および前記第２のフォルダにデータを格納することを特徴とする情報処理装置。
【００６６】
（付記５）
付記３に記載の情報処理装置において、さらに、
前記第１のハードディスクドライブに設けられた第３の記憶領域を備え、
前記フォルダ作成部は、前記第１の記憶領域に第２のフォルダを作成し、且つ、前記マウント処理部は、前記第２のフォルダに前記第３の記憶領域をマウントし、前記第１のフォルダにマウントされた前記第２の記憶領域および前記第２のフォルダにマウントされた前記第３の記憶領域にデータを格納することを特徴とする情報処理装置。
【００６７】
（付記６）
付記５に記載の情報処理装置において、
前記第２のフォルダにマウントされた前記第３の記憶領域には、複数のアプリケーションプログラムにより処理されるデータが格納されることを特徴とする情報処理装置。
【００６８】
（付記７）
付記２または６に記載の情報処理装置において、
前記複数のアプリケーションプログラムは、テレビ放送の録画プログラム、再生プログラム、編集プログラムおよび書き込みプログラムを含むことを特徴とする情報処理装置。
【００６９】
（付記８）
付記７に記載の情報処理装置において、さらに、
前記情報処理装置に映像処理装置が接続されていることを確認する映像処理装置確認部を備え、該映像処理装置確認部が、前記情報処理装置に前記映像処理装置が接続されていることを確認した後、前記フォルダ作成部によるフォルダの作成および前記マウント処理部によるマウント処理を行うことを特徴とする情報処理装置。
【００７０】
（付記９）
情報処理装置の第１の記憶領域にアプリケーションプログラムが利用する第１のフォルダを作成するフォルダ作成ステップと、
前記情報処理装置の初期設定時に前記第１のフォルダに該情報処理装置の第２の記憶領域をマウントするマウント処理ステップと、を備えることを特徴とする情報処理装置の初期設定方法。
【００７１】
（付記１０）
付記９に記載の情報処理装置の初期設定方法において、
前記第１のフォルダにマウントされた前記第２の記憶領域には、複数のアプリケーションプログラムにより処理されるデータが格納されることを特徴とする情報処理装置の初期設定方法。
【００７２】
（付記１１）
付記９に記載の情報処理装置の初期設定方法において、
前記第１の記憶領域は第１のハードディスクドライブに設けられ、且つ、前記第２の記憶領域は第２のハードディスクドライブに設けられることを特徴とする情報処理装置の初期設定方法。
【００７３】
（付記１２）
付記１１に記載の情報処理装置の初期設定方法において、
前記フォルダ作成ステップは、さらに、前記第１の記憶領域に第２のフォルダを作成し、前記第１のフォルダにマウントされた前記第２の記憶領域および前記第２のフォルダにデータを格納することを特徴とする情報処理装置の初期設定方法。
【００７４】
（付記１３）
付記１１に記載の情報処理装置の初期設定方法において、
前記フォルダ作成ステップは、さらに、前記第１の記憶領域に第２のフォルダを作成し、且つ、
前記マウント処理テップは、さらに、前記第２のフォルダに前記第１のハードディスクドライブに設けられた第３の記憶領域をマウントし、前記第１のフォルダにマウントされた前記第２の記憶領域および前記第２のフォルダにマウントされた前記第３の記憶領域にデータを格納することを特徴とする情報処理装置の初期設定方法。
【００７５】
（付記１４）
付記１３に記載の情報処理装置の初期設定方法において、
前記第２のフォルダにマウントされた前記第３の記憶領域には、複数のアプリケーションプログラムにより処理されるデータが格納されることを特徴とする情報処理装置の初期設定方法。
【００７６】
（付記１５）
付記１０または１４に記載の情報処理装置の初期設定方法において、
前記複数のアプリケーションプログラムは、テレビ放送の録画プログラム、再生プログラム、編集プログラムおよび書き込みプログラムを含むことを特徴とする情報処理装置の初期設定方法。
【００７７】
（付記１６）
付記１５に記載の情報処理装置の初期設定方法において、さらに、
前記情報処理装置に映像処理装置が接続されていることを確認する映像処理装置確認ステップを備え、該映像処理装置確認ステップにおいて、前記情報処理装置に前記映像処理装置が接続されていることを確認した後、前記フォルダ作成ステップによるフォルダの作成および前記マウント処理ステップによるマウント処理を行うことを特徴とする情報処理装置の初期設定方法。
【００７８】
（付記１７）
コンピュータに、
情報処理装置の第１の記憶領域にアプリケーションプログラムが利用するフォルダを作成するフォルダ作成手順と、
前記情報処理装置の初期設定時に前記フォルダに前記情報処理装置の第２の記憶領域をマウントするマウント処理手順と、を実行させるためのプログラムを記録したコンピュータが読み取り可能な記録媒体。
【００７９】
（付記１８）
コンピュータに、
情報処理装置の第１の記憶領域にアプリケーションプログラムが利用するフォルダを作成するフォルダ作成手順と、
前記情報処理装置の初期設定時に前記フォルダに前記情報処理装置の第２の記憶領域をマウントするマウント処理手順と、を実行させるためのプログラム。
【産業上の利用可能性】
【００８０】
本発明は、オペレーティングシステムおよび複数のアプリケーションプログラムがプレインストールされたパーソナルユースのデスクトップ型およびノート型の情報処理装置を始めとして、様々な情報処理装置に対して適用することができ、特に、大容量のデータを複数の異なるアプリケーションプログラムで処理（格納／参照）する情報処理装置に好適なものである。
【図面の簡単な説明】
【００８１】
【図１】従来の情報処理装置におけるハードディスクドライブの区画構成の例を概念的に示す図である。
【図２】本発明に係る情報処理装置の第１実施例におけるハードディスクドライブの区画構成を説明するための図である。
【図３】図２に示す情報処理装置におけるオペレーティングシステムの初期設定方法の一例を説明するためのフローチャートである。
【図４】本発明に係る情報処理装置の第２実施例におけるハードディスクドライブの区画構成を説明するための図である。
【図５】図４に示す情報処理装置におけるオペレーティングシステムの初期設定方法の一例を説明するためのフローチャートである。
【図６】本発明に係る情報処理装置の第３実施例におけるハードディスクドライブの区画構成を説明するための図である。
【図７】図６に示す情報処理装置におけるオペレーティングシステムの初期設定方法の一例を説明するためのフローチャートである。
【図８】本発明に係るオペレーティングシステムの初期設定プログラムを記録した媒体の例を説明するための図である。
【符号の説明】
【００８２】
１００    第１のハードディスクドライブ
２００    第２のハードディスクドライブ
１１０，１４０    第１の記憶領域（Ｃドライブ）
２１０    第２の記憶領域（Ｄドライブ）
１５０    第３の区画（Ｅドライブ）
【図１】
2006079410.tif 000004
【図２】
2006079410.tif 000005
【図３】
2006079410.tif 000006
【図４】
2006079410.tif 000007
【図５】
2006079410.tif 000008
【図６】
2006079410.tif 000009
【図７】
2006079410.tif 000010
【図８】
2006079410.tif 000011